(57)【要約】【課題】  脇側に広がる臀部の贅肉を、着用感を損ねることなく、後中心寄りへ包み込むように寄せ上げて二つの美しい山形のヒップ形状に整形するスラックスの提供。【解決手段】  左右後身頃と、臀部付近に配置される伸縮裏地を備えたスラックスにおいて、この伸縮裏地を正逆対向の略Ｌ字状に作成すると共に、その内縁は後身頃の後股ぐり下端付近から後身頃のウエスト部へ向けて左右対称に立ち上げ、各上縁の一定長さ範囲でウエスト部へ縫着させ、これに対し外側縁は後身頃の左右脇縫着線へ夫々れ縫着させる。【選択図】    図２
0003128015.tif 000002
【実用新案登録請求の範囲】
【請求項１】
左右の後身頃と、該左右の後身頃の内側の臀部付近に配置される伸縮裏地を備えたスラックスにおいて、上記伸縮裏地は正逆対向の略Ｌ字状に作成すると共に、その内縁は後身頃の後股ぐり下端付近から後身頃のウエスト部へ向けて左右対称に立ち上げ、各上縁の一定長さ範囲でウエスト部へ縫着させ、これに対し外側縁は後身頃の左右脇縫着線へ夫々れ縫着させるものとなしたことを特徴とするスラックス。
【請求項２】
上記正逆対向の略Ｌ字状に作成した伸縮裏地において、各上縁の一定長さを２ｃｍ〜５ｃｍとなしたことを特徴とする請求項１に記載のスラックス。
【請求項３】
上記正逆対向の略Ｌ字状に作成した伸縮裏地は、２枚の略Ｌ字状の伸縮片を用い、各伸縮片の外側縁をヒップラインの上方位置からワタリラインの下方位置にかけて凹状に形成させ、ヒップラインとワタリライン間における左右幅寸法を後身頃の後中心と脇縫着線とを水平に結ぶ幅寸法に比して小ならしめて、該伸縮片を後中心でつき合わせ状に各後身頃へ夫々れ縫着させるものとなしたことを特徴とする請求項１又は２に記載のスラックス。
【請求項４】
上記伸縮片において、ヒップラインとワタリライン間の左右幅方向における外側縁側の後身頃との差寸法を内側縁側の差寸法よりも大きくなしたことを特徴とする請求項３に記載のスラックス。
【考案の詳細な説明】
【技術分野】
【０００１】
本考案は、スラックスに関し、詳しくは後身頃の内側に伸縮裏地を備えたスラックスに関するものである。
【背景技術】
【０００２】
近年、女性用のスラックスにおいて、着用したとき臀部下方の贅肉を持ち上げ、更には形状を整えて、ヒップラインを美しく見せるようにするヒップ形状補正機能を有するものが種々提案されている（例えば、特許文献１参照）。
【特許文献１】特開２００３−２６８６０６号公報
【考案の開示】
【考案が解決しようとする課題】
【０００３】
女性は加齢や出産による体形の変化があり、特に臀部の贅肉が洋なし状に下方へ垂れ下がり且つ脇側へ広がることが多く、スラックス等を着用した際にヒップ周辺の外観が著しく損なわれるという問題があった。一方、ガードルのような補正力の大きいものによる体形補正では、着用時の圧迫感は否めず、とりわけ中高年者の着用感を損ねるという問題があった。
【０００４】
この場合、特許文献１記載のスラックス、具体的には、伸縮性織編布地をＶ字状の左右帯体に形成し、この左右帯体の中央孔線の谷底を内股上方箇所で且つヒップトップラインと同等若しくはそれより下方となる配置状態にして、この帯体の左右側端縁を左右身頃生地の脇線及び又はウエストラインに縫着させたスラックスを着用すると、下方に垂れ下がった贅肉を着用感を損なうことなく上方へ持ち上げることはできるものの、脇側に広がるように垂れ下がる贅肉を上記Ｖ字状帯体で効果的に持ち上げ且つ美しいヒップ形状に整えることは困難であり、改善の余地を残すものであった。
【０００５】
そこで、本考案の目的とするところは上記した課題を解決することにあり、加齢や出産などにより洋なし状に下方へ垂れ下がり且つ脇側へ広がった臀部贅肉を、着用感を損ねることなく、後中心よりへ寄せ上げて所望のヒップ形状補整機能を発揮し、而も、簡便に作成できるスラックスを提供することにある。
【課題を解決するための手段】
【０００６】
上記課題を解決するために、本考案のスラックスは、左右の後身頃と、該左右の後身頃の内側の臀部付近に配置される伸縮裏地を備えたスラックスにおいて、上記伸縮裏地は正逆対向の略Ｌ字状に作成すると共に、その内縁は後身頃の後股ぐり下端付近から後身頃のウエスト部へ向けて左右対称に立ち上げ、各上縁の一定長さ範囲でウエスト部へ縫着させ、これに対し外側縁は後身頃の左右脇縫着線へ夫々れ縫着させるものとなした構成とする。
【０００７】
この際、上記正逆対向の略Ｌ字状に作成した伸縮裏地は、各上縁の一定長さを２ｃｍ〜５ｃｍとなした構成とする。
【０００８】
また、上記正逆対向の略Ｌ字状に作成した伸縮裏地は、２枚の略Ｌ字状の伸縮片を用い、各伸縮片の外側縁をヒップラインの上方位置からワタリラインの下方位置にかけて凹状に形成させ、ヒップラインとワタリライン間における左右幅寸法を後身頃の後中心と脇縫着線とを水平に結ぶ幅寸法に比し小ならしめて、該伸縮片を後中心でつき合わせ状に各後身頃へ夫々れ縫着させたりする。
【０００９】
この際、上記伸縮片において、ヒップラインとワタリライン間の左右幅方向における外側縁側と後身頃との差寸法を内側縁側の差寸法よりも大きくなしたりする。
【考案の効果】
【００１０】
本考案では、正逆対向の略Ｌ字状に作成した伸縮裏地が、その内縁を後身頃の後股ぐり下端付近からウエスト部へ向けて左右対称に立ち上げ、各上縁の一定長さ範囲でウエスト部へ縫着されることで、洋なし状に垂れ下がり且つ脇側へ広がった臀部贅肉を周囲から包み込むように簡便に中央へ寄せ上げことができた。
【００１１】
この際、上記各上縁の一定長さを２ｃｍ〜５ｃｍとなしたことで、肉付きの良い着用者に対しても過剰の圧迫感を与えることなく、臀部贅肉を適確に寄せて丸みのあるヒップ形状に整形することができた。
【００１２】
更に、上記正逆対向の略Ｌ字状に作成した伸縮裏地は、左右の各後身頃に対応する２枚の略Ｌ字状の伸縮片を用い、各伸縮片のヒップラインとワタリライン間における左右幅寸法を各後身頃に比し小さくして夫々れ縫着させことで、下方に垂れ下がった臀部贅肉をしっかりと持ち上げることができた。
【００１３】
この際、上記伸縮片は、ヒップラインとワタリライン間の左右幅寸法における外側縁側と後身頃との差寸法を内側縁側よりも大きくなすことで、外側縁を内側縁に向けて強く伸張させ、これにより、脇側へ広がる臀部贅肉を中央側へ寄せ上げることができた。
【考案を実施するための最良の形態】
【００１４】
以下、本考案に係る実施形態について図を参照しながら説明する。図１はスラックス１の裏返した状態を後側からみた正面図、図２はスラックス１の右の後身頃２に伸縮裏地３を縫着した状態を表した正面図、図３はスラックス１の右の後身頃２に対する伸縮片３ａの形状及び大きさを表した正面図である。
【００１５】
スラックス１は、図１及び図２に示す如く、左右の後身頃２の内側の臀部付近に対して伸縮裏地３を配している。該伸縮裏地３は、略Ｌ字状に裁断した２枚の伸縮片３ａ、３ａを後中心ｐの縫着線上で正逆対向状に付き合わせて取り付けられる。具体的には、各伸縮片３ａの内側縁３１を後身頃２の後股ぐり２１下端付近から股下部２２上端付近につき合わせるように夫々れ縫着し、該後股ぐり２１下端付近から内縁３２をウエスト部２３へ向けて左右対称に立ち上げるように各上縁３３をウエスト部２３へ縫着させ、更に各外側縁３４を左右両脇縫着線２４、２４へ縫着させている。これにより、大腿部にかかる脇側付近まで伸縮裏地３が配されるので、洋なし状に垂れ下がった臀部贅肉を下方側からしっかりとホールドするものとなる。
【００１６】
この際、ウエスト部２３へ縫着される上縁３３の長さ寸法Ｌは、スラックス本体の腰幅寸法との関係で適宜設計されるが、脇側に広がる臀部贅肉を包み込むように後中心へ向けて寄せ上げるために少なくとも２ｃｍ〜５ｃｍ程度の長さ寸法が必要とされる。
この長さ寸法Ｌが小さすぎると臀部贅肉が脇側へ広がったり高いヒップトップ位置をキープできなくなったり、また逆に大きすぎると着用者に圧迫感を与えたり、臀部贅肉を美しい山形に整形しにくくなったりするので好ましくない。
【００１７】
上記伸縮裏地３としては、ナイロンやポリウレタンなどの混合糸からなる縦横に伸縮自在な生地（パワーネット）が用いられる。伸縮性の方向付けは、生地を編成する縦糸と横糸の伸縮性の違いにより異なってくる。本考案では、スラックス１の脇縫着線２４へ縫着した伸縮裏地３が伸張する際に発生する引きつり皺を防止できるように、縦糸の伸縮性が横糸の伸縮性より小さいものを用いたが、本考案はこれに制限されるものではない。
【００１８】
上記伸縮片３ａは、図３に示す如く、外郭線が部分的に凹んだ外形状に裁断されている。具体的には、後身頃２の後股ぐり２１からウエスト部２３に至る内縁３２を、ヒップラインＨＬより下方位置において緩やかな凹状に形成する一方、外側縁３４をヒップラインＨＬの上方位置からワタリラインＵＬの下方位置において緩やかな凹状に形成している。この際、凹状になした外側縁３４を後身頃２の脇縫着線２４上へ重なるように縫着させるので、ヒップラインＨＬとワタリラインＵＬ間により一層強い左右方向の伸張による復元力が発生し、垂れ下がった臀部贅肉をしっかりと持ち上げることができるものとなる。また内縁３２を固定しない円弧状になしてあるので、持ち上げた臀部贅肉を扁平化させることなく形の良い山形に整形することができる。
【００１９】
また、伸縮片３ａは、後身頃２の外形に対し、左右幅寸法が短く、とりわけヒップラインＨＬとワタリラインＵＬ間では、外側縁３４と脇縫着線２４との差寸法Ｗ１が内側縁３１と後股ぐり２１との差寸法Ｗ２より大きくなしてある。この際、伸縮片３ａは、後身頃２へ縫着させた際に、外側縁３４と内側縁３１を結ぶ左右幅方向の伸張具合に強弱をもたらし、外側縁３４から内側縁３１に向けてより強く伸張されるものとなる（図２の矢印参照）。これにより、伸縮裏地３は、外側縁３４から内側縁３１に向けて伸張する復元力により洋なし状に脇側へ垂れ下がった臀部贅肉を後中心ｐに向けて寄せ上げる機能を効果的に発揮するものとなる。
【００２０】
上記実施態様では、正逆対向の略Ｌ字状の伸縮裏地３を２枚の伸縮片３ａを用い、各伸縮片３ａを後身頃２に夫々れ縫着させた場合について説明したが、本考案はこれに限定されるものではなく、正逆対向の略Ｌ字状に裁断した１枚の伸縮裏地を用いるものとなしても差し支えない。
【図面の簡単な説明】
【００２１】
【図１】本考案に係るスラックスの裏返した状態を後側からみた正面図である。
【図２】本考案に係るスラックスの右の後身頃に伸縮裏地を縫着した状態を表した正面図である。
【図３】本考案に係るスラックスの右の後身頃に対する伸縮片の形状及び大きさを表した正面図である。
【符号の説明】
【００２２】
１      スラックス
２      後身頃
２１    後股ぐり
２２    股下部
２３    ウエスト部
２４    脇縫着線
３      正逆対向の略Ｌ字状の伸縮裏地
３ａ    伸縮片
３１    内側縁
３２    内縁
３３    上縁
３４    外側縁
ｐ      後中心
ＨＬ    ヒップライン
ＵＬ    ワタリライン
Ｌ      長さ寸法
Ｗ１    差寸法
Ｗ２    差寸法
【図１】
0003128015.tif 000003
【図２】
0003128015.tif 000004
【図３】
0003128015.tif 000005